(57)【特許請求の範囲】
【請求項１】
本体（２）を壁面（６）に釘又はねじ（５）を介して固定した取付プレート（４）にかぶせて脱着自在に取り付けてなるふさかけ（１）において、前記本体の裏面に前記取付プレートが上下摺動可能にすっぽりはまる空所（７）を形成し、前記空所の内面中央に上下に並ぶ浅い上の凹部（８）と深い下の凹部（９）を設け、前記空所に少なくとも１つの爪（２０）を形成し、前記取付プレートの中央に前記空所の内面に接する板ばね部（１４）を設け、前記板ばね部の中央に凸部（１５）を形成し、前記取付プレートに前記本体の前記爪と係合可能な爪（１０）を形成し、前記本体を前記取付プレートにかぶせて前記下の凹部に前記凸部をはめ、ついで前記本体を下方にスライドすると、前記本体の爪は前記取付プレートの爪の背面に重合し、前記本体の前記上の凹部に前記凸部が嵌合して前記板ばね部を弾性変形させ、その弾性反発力により前記本体を前方に押圧して前記取付プレートに固定するようにしたことを特徴とするカーテンのふさかけ。
【請求項２】
本体（２）の空所（７）の両側上下に爪（２０）を設け、取付プレート（４）に両側に爪（１０）を形成した上下の爪部（１１、１２）と、前記上下爪部を連結する中間部（１３）を設け、前記中間部の両側に切り込み（１６）を入れて板ばね部（１４）を形成し、前記爪部にねじ通し穴（１８）と釘通し穴（１９）を設けたことを特徴とする請求項１記載のカーテンのふさかけ。
【発明の詳細な説明】
【０００１】
【発明の属する技術分野】
本発明は、取付プレートと本体とからなるカーテンのふさかけに関する。
【０００２】
【従来の技術】
壁面に釘又はねじを介して固定される取付プレートと、その取付プレートに脱着可能にかぶせる本体と、本体と取付プレートを弾性的に固定するばね部材とからなる従来のカーテンふさかけは、取付プレートがなく本体を壁面に釘又はねじ若しくは両面テープを介して直接固定するものに比べると、釘、止めねじ、両面テープが露出しないため、外観が良好である。しかし、前者は、部品が取付プレートと、本体と、本体に付設されるばね部材とからなる３点構成であるから、後者に比べるとコストが高いという問題があった。
【０００３】
【発明が解決しようとする課題】
本発明は上記問題を解決するためになされたものであり、その課題は、本体とは別に取付プレートを有するカーテンのふさかけのコストを低減することにある。
【０００４】
【課題を解決するための手段】
前記課題を達成するため、本発明が採用する手段は、本体を壁面に釘又はねじを介して固定した取付プレートにかぶせて脱着自在に取り付けてなるふさかけにおいて、本体の裏面に取付プレートが上下摺動可能にすっぽりはまる空所を形成し、その空所の内面中央に上下に並ぶ浅い上の凹部と深い下の凹部を設け、空所に少なくとも１つの爪を形成し、取付プレートの中央に空所の内面に接する板ばね部を設け、その板ばね部の中央に凸部を形成し、取付プレートに本体の爪と係合可能な爪を形成し、本体を取付プレートにかぶせて下の凹部に凸部をはめ、ついで本体を下方にスライドすると、本体の爪は取付プレートの爪の背面に重合し、本体の上の凹部に凸部が嵌合して板ばね部を弾性変形させ、その弾性反発力により本体を前方に押圧して取付プレートに固定するようにしたことにある。
【０００５】
好ましくは、本体の空所の両側上下に爪を設け、取付プレートに両側に爪を形成した上下の爪部と、その上下爪部を連結する中間部を設け、中間部の両側に切り込みを入れて板ばね部を形成し、上下の爪部にねじ通し穴（１８）と釘通し穴（１９）を設ける。
【０００６】
上記手段により、本発明のふさかけは、従来の本体に付設していたばね部材が不要となり、部品点数が３点から２点に節減するため、コストの低減が可能となる。
【０００７】
又、本発明のふさかけは、取付プレートを釘又は止めねじにより壁面に固定した後に、本体を上からかぶせて下方にスライドさせると、始め本体の深い下凹部にはまっていた取付プレートの凸部が、一度、上下凹部の間の面で押圧されてから本体の浅い凸部にはまり込むから、クリック感が顕著であり、操作者は確実に本体を取付プレートに固定したことを感知する。
【０００８】
【発明の実施の態様】
本発明を図面に示す実施例のふさかけに基づいて説明する。
【０００９】
図１及び図２は実施例のふさかけの正面図及び中央縦断面図、図３及び図４はふさかけの本体及び取付プレートの正面図、図５は図１のＶ−Ｖ線矢視図である。
【００１０】
壁面に取り付けたふさかけ１は本体２の表面のふさかけ部３が見えるだけであるから、外観は良好である。
【００１１】
ふさかけ１は合成樹脂製又は金属製成形品の本体２と同じく合成樹脂製又は金属製成形品の取付プレート４からなる。取付プレート４は釘又は止めねじ５により壁面６に取り付けられる。本体２の裏面に空所７が形成され、その空所７に取付プレート４が上下方向に摺動可能にかつ隙間が残るようにはまる。空所７の中央に上下の凹部８、９が形成され、上の凹部８は浅く、下の凹部９は深い。本体２の空所の両側に上下の爪２０を形成する。
【００１２】
取付プレート４の裏面は壁面６に密着する。取付プレート４は左右に突出する爪１０を備えた上下の爪部１１、１２と、その上下の爪部を連結する中間部１３を備える。中間部１３の中央の両側に切り込み１６を入れて本体２の空所の内面中央に接する板ばね部１４を形成し、板ばね部１４の中央に上向きの凸部１５を形成する。取付プレート４の上下の爪部１１、１２に本体２の空所の内面に接する突起１７とねじ通し穴１８と釘通し穴１９を設ける。
【００１３】
図２（ａ）及び図５（ａ）に示すように、本体２を取付プレート４にかぶせ、下の深い凹部９に取付プレート４の凸部１５をはめると、本体２の爪２０は取付プレート４の爪１０の背面上方に離れて位置し、空所７の上端に空隙が残る。
【００１４】
そこで、本体２を取付プレート４の板ばね部１４の弾性反発力に抗して下方にスライドすると、空隙は下端に移り、図２（ｂ）及び図５（ｂ）に示すように、空所７の上端は上の爪部１１の上面にのり、本体２の上下の爪２０は取付プレート４の上下の爪１０の背面側に入り、前後に重合する。取付プレート４の凸部１５は本体２の空所７の上の浅い凹部８にはまり込み、取付プレート４の板ばね部４は弾性変形する。板ばね部１４の弾性反発力は本体２を前方に押圧し本体２の上下の爪２０を取付プレート４の上下の爪１０に押しつけて固定する。
【００１５】
このとき、始め本体２の深い下の凹部９にはまっていた取付プレート４の凸部１５は、一度、上下の凹部の間の空所７の内面に押圧されてから本体２の浅い上の凸部８にはまり込むから、操作者は顕著なクリック感により確実に本体を取付プレートに固定したことを認識する。固定された本体２は、使用中に取付プレート４から外れるおそれはない。
【００１６】
【発明の効果】
上記のとおり、本発明のふさかけは、壁面に釘又は止めねじを介して固定される取付プレートとその取付プレートに脱着自在に固定される本体とからなり、本体の空所の深い下の凹部を取付プレートの中央の板ばね部の凸部にはめて本体を下方にスライドすると、本体と取付プレートの爪同士が係合し、凸部が本体の空所の浅い凹部にはまり込んで板ばね部が弾性的に本体の爪を取付プレートの爪に押圧して本体を取付プレートに固定するから、次のような優れた効果を奏する。１．壁面に取り付けたとき、本体以外は露出しないから外観は良好である。
２．従来の部品が３点であったものに比べると、本発明のふさかけは部品が２点であるから、コストは大幅に低減する。
３．本体を下方にスライドして取付プレートに固定するときの顕著なクリック感により、操作者は本体の固定を認識することができる。
４．本体と取付プレートの凸部と凹部は弾性的に係合するので、本体が使用中に取付プレートから外れるおそれは全くない。
【図面の簡単な説明】
【図１】本発明実施例のふさかけの正面図、
【図２】図１のふさかけの中央縦断面図、
（ａ）は本体固定前の状態を、（ｂ）は本体固定後の状態を、それぞれ示す。
【図３】図１のふさかけの本体の正面図、
【図４】図１のふさかけの取付プレートの正面図、
【図５】図１のＶ−Ｖ線矢視図であり、（ａ）は本体固定前の状態を、（ｂ）は本体を固
定後の状態を、それぞれ示す。
【符号の説明】
１：ふさかけ
２：本体
３：ふさかけ部
４：取付プレート
５：ねじ
６：壁面
７：空所
８：凹部（上）
９：凹部（下）
１０：爪
１１：爪部
１２：爪部
１３：中間部
１４：板ばね部
１５：凸部
１６：切り込み
１７：突起
１８：ねじ通し穴
１９：釘通し穴
２０：爪
【図１】
0004388247.tif 000002
【図２】
0004388247.tif 000003
【図３】
0004388247.tif 000004
【図４】
0004388247.tif 000005
【図５】
0004388247.tif 000006